Podtech/llm-jp-corpus-v4-ja_patent huggingface dataset:
【手続補正書】
【提出日】平成26年8月14日(2014.8.14)
【手続補正１】
【補正対象書類名】特許請求の範囲
【補正対象項目名】全文
【補正方法】変更
【補正の内容】
【特許請求の範囲】
【請求項１】
フレーム組立体と、
被加工物を保持し被加工物の中心軸を中心に回転させるように適合された選択的に解放可能なチャック組立体と、
前記フレーム組立体に配置され、ねじを被加工物内に形成するために選択的に配置可能なダイス組立体と、
フレーム組立体によって支持されたブラシレスＤＣ電気モータであって、チャック組立体と選択可能に係合して動力回転出力をもたらし、それによって被加工物を選択的に回転させる、ブラシレスＤＣ電気モータとを備える、動力式ねじ切り装置。
【請求項２】
ブラシレスＤＣ電気モータが、セグメント化された歯付きステータを含む、請求項１に記載のねじ切り装置。
【請求項３】
ブラシレスＤＣ電気モータが、永久磁石ブラシレス電気モータである、請求項１に記載のねじ切り装置。
【請求項４】
ブラシレスＤＣ電気モータが、スイッチドリラクタンス式ブラシレス電気モータである、請求項１に記載のねじ切り装置。
【請求項５】
リーマ加工具組立体をさらに備える、請求項１に記載のねじ切り装置。
【請求項６】
カッタ組立体をさらに備える、請求項１に記載のねじ切り装置。
【請求項７】
ブラシレス電気モータの回転出力からの回転動作をチャック組立体に伝達するための駆動列と、
ねじを被加工物内に形成する間、被加工物の回転およびダイス組立体の位置を制御するための制御装置とをさらに備える、請求項１に記載のねじ切り装置。
【請求項８】
ブラシレスＤＣ電気モータが、セグメント化された歯付きステータを含む、請求項７に記載のねじ切り装置。
【請求項９】
ブラシレスＤＣ電気モータが、永久磁石ブラシレス電気モータである、請求項７に記載のねじ切り装置。
【請求項１０】
ブラシレスＤＣ電気モータが、スイッチドリラクタンス式ブラシレス電気モータである、請求項７に記載のねじ切り装置。
【請求項１１】
動力式ねじ切り装置の作動を監視する方法であって、前記動力式ねじ切り装置が、被加工物を保持し被加工物の中心軸を中心に回転させるように適合されたチャック組立体と、選択的に配置可能なねじ形成ダイスと、ブラシレスＤＣ電気モータとを有し、チャック組立体、ねじ形成ダイス、およびブラシレスＤＣ電気モータが、フレーム組立体に配置され、
前記動力式ねじ切り装置の作動を監視する方法が、
ねじ切り装置を電源に電気通信されるように作動させることと、
入来電流を閾値と比較することとを含み、入来電流が閾値より小さい場合、方法は保留状態にされ、入来電流が閾値より大きい場合、方法は以下のいずれかに進み、すなわち、
ねじ切り装置によって消費された電流を、ねじ切り装置の作動の少なくとも一部分中の時間の関数として積分し、それによって積分値を生み出し、かつ、
積分値を、ねじ切り装置の電子記憶装置ユニット内に保存された少なくとも１つのベンチマークまたは保存値と比較することに進み、ベンチマークまたは保存値は、切断作業を表す値、リーマ加工作業を表す値、およびねじ切り作業を表す値からなる群から選択され、あるいは、
ねじ切り装置の少なくとも１つのセンサ出力を監視し、センサは、カッタセンサ、リーマ加工具センサ、およびねじまたはダイスセンサからなる群から選択され、
消費された瞬間電流の大きさを第２の閾値と比較し、瞬間電流の大きさが第２の閾値より大きい場合、方法は別の比較作動に進み、かつ、
少なくとも１つのセンサの出力および瞬間電流を、切断作業を表す値、リーマ加工作業を表す値、およびねじ切り作業を表す値からなる群から選択されたベンチマークまたは保存値の少なくとも１つの組と比較することに進み、
前記動力式ねじ切り装置の作動を監視する方法はさらに、
どのベンチマークまたは保存値が、少なくとも１つのセンサの積分値または出力および瞬間電流に最も厳密に対応するかを決定することによって、ねじ切り装置によって実施された作業のタイプを特定することを含む、方法。
【請求項１２】
ねじ切り装置を用いて被加工物にねじを形成する方法であって、前記ねじ切り装置が、被加工物を保持し被加工物の中心軸を中心に回転させるように適合されたチャック組立体と、選択的に配置可能なねじ形成ダイスと、ブラシレスＤＣ電気モータとを有し、チャック組立体、ねじ形成ダイス、およびブラシレスＤＣ電気モータが、フレーム組立体に配置され、
前記ねじ切り装置を用いて被加工物にねじを形成する方法が、
被加工物をチャック組立体に解放可能に固定することと、
選択的に配置可能なねじ形成ダイスを被加工物と接触させることと、
ブラシレスＤＣ電気モータを用いて被加工物を回転させることとを含み、被加工物の中心軸を中心に被加工物を回転させると、ねじ形成ダイスが、被加工物と接触して被加工物にねじを形成する、被加工物にねじを形成する方法。
【請求項１３】
所望のねじ切り作業のためのパラメータを取得することと、
目標ねじ長さを決定すること、
ねじ切り作業を可能にする適切な状態の存在を確認することと、
被加工物の中心軸を中心に被加工物が回転する間に、ねじ切りダイスを被加工物に沿って線形に変位させ、それによってらせん形のねじを形成することと、
ねじ切りダイスの線形変位の距離を監視することと、
ねじ切りダイスの線形変位の距離を目標ねじ長さと比較することと、
ねじ切りダイスの線形変位の距離が目標ねじ長さと等しいまたはこれより大きくなった際に、ねじ切り作業を終了することとをさらに含む、請求項１２に記載の方法。
【請求項１４】
所望のねじ切り作業のためのパラメータを取得することと、
目標ねじ回転を決定することと、
ねじ切り作業を可能にする適切な状態の存在を確認することと、
ねじ切りダイスを被加工物に沿って線形に変位させ、それによってらせん形のねじを形成することと、
ブラシレスＤＣ電気モータの角度変位を監視することと、
ブラシレスＤＣ電気モータの角度変位を目標ねじ回転と比較することと、
ブラシレスＤＣ電気モータの角度変位が、目標ねじ回転と等しいまたはこれより大きくなった際に、ねじ切り作業を終了することとをさらに含む、請求項１２に記載の方法。
【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
複数のレイヤを含むメディア・エンティティからコンポーネント・ファイルを作成する方法であって、
前記メディア・エンティティから各レイヤのメタデータを抽出するステップと、
前記メディア・エンティティから、前記メディア・エンティティの各レイヤの前記抽出したメタデータに対応するメディア・データを抽出するステップと、
各レイヤの前記抽出したメディア・データに関係する追加メディア・データの参照を識別するステップと、
各レイヤの前記抽出したメディア・データに前記参照を埋め込むステップと、
対応するコンポーネント・ファイルの作成のため、各レイヤの前記抽出したメタデータおよび前記抽出したメディア・データを関連付けるステップと、を含む、方法。
【請求項２】
前記コンポーネント・ファイルが、動画ボックス、動画フラグメント、セグメントおよびファイルのうちの少なくとも１つである、請求項１に記載の方法。
【請求項３】
前記メディア・データおよび前記追加メディア・データが、データ・サンプルを含む、請求項２に記載の方法。
【請求項４】
データ・サンプルが、ネットワーク抽象化レイヤ・ユニットを含む、請求項３に記載の方法。
【請求項５】
各レイヤの前記抽出したメディア・データに関係する前記追加メディア・データが、前記抽出したメディア・データ中のネットワーク抽象化レイヤ・ユニットが依存するネットワーク抽象化レイヤ・ユニットを含む、請求項４に記載の方法。
【請求項６】
前記参照が、前記追加メディア・データ中の前記ネットワーク抽象化レイヤ・ユニットの位置情報を含む、請求項５に記載の方法。
【請求項７】
前記位置情報が、統一資源ロケータおよび統一資源名のうちの少なくとも１つを含む、請求項６に記載の方法。
【請求項８】
埋込みステップが、
前記追加メディア・データ中の前記ネットワーク抽象化レイヤ・ユニットの前記参照を用いて抽出器に記入するステップと、
前記抽出したメディア・データのトラックに前記抽出器を埋め込むステップとをさらに含む、請求項７に記載の方法。
【請求項９】
複数のレイヤを含むメディア・エンティティからコンポーネント・ファイルを作成するファイル・カプセル化装置であって、
前記メディア・エンティティから各レイヤのメタデータを抽出し、前記メディア・エンティティから前記メディア・エンティティの各レイヤの前記抽出したメタデータに対応するメディア・データを抽出する抽出器と、
前記メディア・エンティティから、各レイヤの前記抽出したメディア・データに関係する追加メディア・データの参照を識別する参照識別器と、
各レイヤの前記抽出したメディア・データに前記参照を埋め込み、前記抽出したメディア・データを前記抽出したメタデータと関連付けて、前記各レイヤごとに前記抽出したメタデータおよび前記抽出したメディア・データを含むコンポーネント・ファイルを作成することを可能にする相関器とを含む、前記ファイル・カプセル化装置。
【請求項１０】
前記コンポーネント・ファイルが、動画ボックス、動画フラグメント、セグメントおよびファイルのうちの少なくとも１つである、請求項９に記載のファイル・カプセル化装置。
【請求項１１】
各レイヤの前記抽出したメディア・データに関係する前記追加メディア・データが、前記抽出したメディア・データ中のネットワーク抽象化レイヤ・ユニットが依存するネットワーク抽象化レイヤ・ユニットを含む、請求項９に記載のファイル・カプセル化装置。
【請求項１２】
前記参照が、前記追加メディア・データ中の前記ネットワーク抽象化レイヤ・ユニットの位置情報を含む、請求項１１に記載のファイル・カプセル化装置。
【請求項１３】
前記位置情報が、統一資源ロケータおよび統一資源名のうちの少なくとも１つを含む、請求項１２に記載のファイル・カプセル化装置。
【請求項１４】
前記相関器が、さらに、前記追加メディア・データ中の前記ネットワーク抽象化レイヤ・ユニットの前記参照を用いて抽出器に記入し、
前記抽出したメディア・データのトラックに前記抽出器を埋め込む、請求項１３に記載のファイル・カプセル化装置。
【請求項１５】
コンポーネント・ファイルを読み取る方法であって、
前記コンポーネント・ファイルを構文解析して、その中のメディア・データおよび参照を取得するステップと、
前記参照によれば、前記コンポーネント・ファイルの前記メディア・データがその他のコンポーネント・ファイルのメディア・データに関係している場合に、前記参照を用いて前記その他のコンポーネント・ファイルから前記関係するメディア・データを取り出すステップと、を含む、前記方法。
【請求項１６】
前記コンポーネント・ファイルの前記メディア・データが、符号化依存性に従ってその他のコンポーネント・ファイルのメディア・データに関係付けられる、請求項１５に記載の方法。
【請求項１７】
前記参照が抽出器を含む、請求項１５に記載の方法。
【請求項１８】
コンポーネント・ファイルを構文解析して、その中のメディア・データおよび参照を取得するパーサと、
前記参照に従って、その他のコンポーネント・ファイルから前記メディア・データに関係するメディア・データを取り出すリトリーバと、
前記メタデータ、前記メディア・データ、および前記その他のコンポーネント・ファイルから取り出したメディア・データを処理するプロセッサと、を含む、ファイル読取り装置。
【請求項１９】
前記コンポーネント・ファイルの前記メディア・データが、符号化依存性に従ってその他のコンポーネント・ファイルのメディア・データに関係付けられる、請求項１８に記載のファイル読取り装置。
【請求項２０】
前記プロセッサが、ビデオ・デコーダを含む、請求項１８に記載のファイル読取り装置。
【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
組織穿刺部閉鎖装置であって、
アンカーと、
封止プラグと、
前記封止プラグと前記アンカーとの間に固定したフィラメントと、
前記封止プラグに隣接して配置し、かつ軸線方向への圧縮力を加える構成及び配置とした圧密化部材アセンブリであり、前記封止プラグを自動的にアンカーに向けて圧密化し、さらに末端部及び基端部を有する、該圧密化部材アセンブリと、
周囲に前記フィラメントの一部を巻付けるスプールと、
前記スプールに連結した駆動プレートであり、前記駆動プレートが回転する際に、前記圧密化部材アセンブリの前記基端部に接触して力を加えて、前記圧密化部材アセンブリを前進させるよう構成した、該駆動プレートと、
前記スプールと前記駆動プレートとの間で動作可能とし、これにより前記スプール及び駆動プレートを釈放可能に連結するフォロワと、
を備えた、組織穿刺部閉鎖装置。
【請求項２】
請求項１に記載の組織穿刺部閉鎖装置において、前記圧密化部材アセンブリは、圧密化管及びコイルを有し、該コイルは、圧密化管に対して軸線方向への圧縮力を加えて圧密化管を駆動し、これにより自動的に前記封止プラグをアンカーに向けて圧密化する構成及び配置とした、組織穿刺部閉鎖装置。
【請求項３】
請求項１に記載の組織穿刺部閉鎖装置において、前記スプールはカム部分を有し、前記フィラメントの一部を前記カム部分周りに巻き付け、前記フィラメントを前記スプールから繰り出すことにより、可変回転力を前記駆動プレートに加える構成とした、組織穿刺部閉鎖装置。
【請求項４】
請求項１に記載の組織穿刺部閉鎖装置において、前記スプールは、第１外側プレート及び第２外側プレート、並びに該第１と第２の外側プレート間に配置した前記カム部分を有し、該カム部分は、可変半径を有するカム面を画定し、前記フィラメントの一部を前記カム部分に巻き付ける構成とした、組織穿刺部閉鎖装置。
【請求項５】
請求項１に記載の組織穿刺部閉鎖装置において、前記フォロワを、前記スプールに取り付け、かつ前記駆動プレートに対して押し付ける構成とした、組織穿刺部閉鎖装置。
【請求項６】
請求項５に記載の組織穿刺部閉鎖装置において、前記駆動プレートは、前記フォロワの一部を収容する寸法とした少なくとも１個の凹部を有する構成とした、組織穿刺部閉鎖装置。
【請求項７】
請求項２に記載の組織穿刺部閉鎖装置において、前記圧密化部材アセンブリは、互いの端部相互を突き合わせて配置した前記圧密化管及び前記コイル部材を有し、前記圧密化管は前記圧密化部材アセンブリの末端部を画定し、前記コイルは圧密化部材アセンブリの基端部を画定する構成とした、組織穿刺部閉鎖装置。
【請求項８】
請求項１に記載の組織穿刺部閉鎖装置において、前記駆動プレートは、該駆動プレートの外周面に画定したコイルトラックを有し、前記圧密化部材アセンブリの一部を前記コイルトラック内に配置する構成とした、組織穿刺部閉鎖装置。
【請求項９】
経皮的切開部からアクセス可能な内部組織壁における組織穿刺部に部分的に挿入し、かつ封止するための組織穿刺部閉鎖装置であって、
前記内部組織壁の末端側に配置するアンカーと、
前記内部組織壁の基端側に配置する封止プラグと、
前記アンカー及び前記封止プラグの末端部に連結かつ固定したフィラメントであり、前記封止プラグは、前記組織穿刺部を閉鎖するために前記フィラメントに沿って前記アンカーに向かい摺動可能かつ締め上げ可能とした、該フィラメントと、
前記フィラメント上に配置し、また前記封止プラグを前記フィラメントに沿って末端方向のアンカーに向けて駆動するよう構成した、圧密化部材アセンブリと、
前記フィラメントの基端部を巻き付けた収納スプールと、
前記収納スプールに連結した駆動プレートであり、前記圧密化部材アセンブリの基端部に接触することにより前記圧密化部材を前進させる、該駆動プレートと、
前記収納スプールに取り付けた少なくとも１個のフォロワであり、駆動プレートに接触するよう押圧され、前記収納スプールと前記駆動プレートとの間における相対回転に対する釈放可能な抵抗を生ずる、該少なくとも１個のフォロワと、
を備える組織穿刺部閉鎖装置。
【請求項１０】
請求項９に記載の組織穿刺部閉鎖装置において、前記駆動プレートは、少なくとも１個の前記フォロワの一部を受容するよう構成した少なくとも１個の凹部を有する、組織壁穿刺部閉鎖装置。
【請求項１１】
請求項１０に記載の組織穿刺部閉鎖装置において、少なくとも１個の前記凹部は、円形状に配列した複数個の凹部とした、組織穿刺部閉鎖装置。
【請求項１２】
請求項１０に記載の組織穿刺部閉鎖装置において、少なくとも１個の前記フォロワは、フィラメントによって前記収納スプールに加わるねじり力が閾値を超えたとき、少なくとも１個の前記凹部から離脱移動する構成とした、組織穿刺部閉鎖装置。
【請求項１３】
請求項９に記載の組織穿刺部閉鎖装置において、前記収納スプールは、前記フィラメントの前記基端部を巻き付けるカム部分を有し、前記収納スプールは、前記フィラメントを前記カム部分から繰り出すとき、前記駆動プレートに対して可変回転力を加えるよう構成した、組織穿刺部閉鎖装置。
【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
使用者を複数の位置のうちの一つで支持するため、及び使用者をある位置から別の位置に移動するための支持装置であって、
装置を水平表面上で支持するためのベース；
使用者を水平位置で支持するための、ベースによって担持される身体支持体；
前記ベースと前記身体支持体の間にありかつそれらに結合され、身体支持体を前記ベースに対して水平位置又は傾斜位置に傾斜することを可能にする傾斜機構；
使用者の足の下表面と係合可能な足支持体；
使用者によって前記足支持体に付与される圧力を感知するため、及びそれに対応する出力を生成するための、前記足支持体によって担持される圧力センサー；
身体支持体上の使用者の重量を感知するため、及びそれに対応する出力を生成するための重量センサー；及び
前記圧力センサー及び前記重量センサーの出力を処理して、使用者の持つ重量の値を示す出力を生成するための処理器
を備えた支持装置。
【請求項２】
前記ベースは長方形形状を有し、前記重量センサーはベースの四隅の各々に圧力センサーを含む、請求項１に記載の支持装置。
【請求項３】
前記装置はさらに、処理器の出力を表示するためのディスプレイを含む、請求項１に記載の支持装置。
【請求項４】
前記ディスプレイは別個のスタンドアロンユニットによって担持される、請求項３に記載の支持装置。
【請求項５】
前記支持装置はさらに、前記傾斜機構を駆動するためのモーター駆動を含み、前記モーター駆動は前記処理器の出力によって制御される、請求項１に記載の支持装置。
【請求項６】
前記モーター駆動は、予め決められた圧力が足支持体圧力センサーに付与されるときに傾斜操作を開始又は停止するように前記処理器の出力によって制御される、請求項５に記載の支持装置。
【請求項７】
前記支持装置はさらに、前記足支持体上の圧力センサーが予め決められた圧力を感知するときに作動されるアラームを含む、請求項５に記載の支持装置。
【請求項８】
前記支持装置はさらに、前記身体支持体に対して長手方向に前記足支持体を駆動するための別のモーター駆動を含み、前記別のモーター駆動がまた、前記処理器の出力によって制御される、請求項５に記載の支持装置。
【請求項９】
前記処理器は以下のものを生成するように構成されている、請求項１に記載の支持装置：
使用者の重量に対応する第一出力；
足支持体上の使用者の足によって付与される圧力に対応する第二出力；及び
前記第一及び第二出力の比率に対応する第三出力。
【請求項１０】
前記装置はさらに、前記出力の各々を表示するためのディスプレイを含む、請求項９に記載の支持装置。
【請求項１１】
前記支持体装置はさらに、前記傾斜機構を駆動するためのモーター駆動を含み、前記モーター駆動は処理器からの前記第二又は第三出力のいずれかによって制御される、請求項９に記載の支持装置。
【請求項１２】
前記支持装置はさらに、前記身体支持体に対して長手方向に前記足支持体を駆動するための別のモーター駆動を含み、前記別のモーター駆動は処理器からの前記第二又は第三出力のいずれかによって制御される、請求項１１に記載の支持装置。
【請求項１３】
前記処理器は、前記ベースに対する身体支持体の傾斜の角度に対応する第四出力を生成する、請求項９に記載の支持装置。
【請求項１４】
前記支持装置はさらに、処理器からの前記出力の全てを表示するためのディスプレイを含む、請求項１３に記載の支持装置。
【請求項１５】
前記支持装置はさらに、前記出力の少なくとも一つが予め決められた閾値を超えるときに作動されるアラームを含む、請求項１３に記載の支持装置。
【誤訳訂正書】
【提出日】平成26年5月7日(2014.5.7)
【誤訳訂正１】
【訂正対象書類名】明細書
【訂正対象項目名】０００７
【訂正方法】変更
【訂正の内容】
【０００７】
技術課題、並びに本発明のこれら及び他の目的は、
ａ）ガラス一次容器を形成する（１）ステップと、
ｂ）補完装置（４）をプラスチック射出成形（３）により形成するステップと、
ｃ）空の一次容器を対応する補完装置と組み立てて（５）、組立て済み装置（６）を形成するステップと、
ｄ）組立て済み装置を注射用水で洗浄する（７）ステップと、
ｅ）トレー（９）内に組立て済み装置を収める（８）ステップと、
ｆ）前記組立て済み装置を収容する前記トレーを二次容器内に挿入し、前記二次容器を閉鎖するステップと、
ｇ）閉鎖済み二次容器内で組立て済み装置を滅菌する（１０）ステップと、
ｈ）閉鎖済み二次容器を遠隔現場への輸送に備えるステップと
を時系列で含むことを特徴とする医療用注射剤パッキングの製造プロセスにより、本発明に従って達成される。
【誤訳訂正２】
【訂正対象書類名】明細書
【訂正対象項目名】００１３
【訂正方法】変更
【訂正の内容】
【００１３】
【図１】本発明の一実施形態のプロセス流れ図である。
【図２】先行技術のプロセス流れ図である。
【図３】本発明の一実施形態による、トレー内に収められており、充填され塞栓されている組立て済み装置の分解図である。
【図４】図３の本発明の実施形態による、充填され塞栓されている組立て済み装置の一実施形態の斜視図である。
【図５】図４の、充填され塞栓されている組立て済み装置の正面図である。
【誤訳訂正３】
【訂正対象書類名】明細書
【訂正対象項目名】００１５
【訂正方法】変更
【訂正の内容】
【００１５】
上記図を参照すると、本発明は、一次容器の製造から開始する一連の後続のステップを含む。本発明の一実施形態の製造プロセスは、以下のステップ
ａ）ガラス一次容器を形成する（１）ステップと、
ｂ）プラスチック部品即ち補完装置（４）を射出成形する（３）ステップと、
ｃ）空の一次容器を対応する補完装置と組み立てて（５）、組立て済み装置（６）を形成するステップと、
ｄ）組立て済み装置を注射用水で洗浄する（７）ステップと、
ｅ）トレー（９）内に組立て済み装置を収める（８）ステップと、
ｆ）トレーと組立て済み装置とを含む二次容器を閉鎖するステップと、
ｇ）閉鎖済み二次容器内で組立て済み装置を滅菌する（１０）ステップと、
ｈ）閉鎖済み二次容器を遠隔現場への輸送に備えるステップと
を含む。
【誤訳訂正４】
【訂正対象書類名】明細書
【訂正対象項目名】００１７
【訂正方法】変更
【訂正の内容】
【００１７】
対照的に、先行技術の製造プロセスは、一般に、以下のステップ
ａ）一次容器（２）を製造する（１４）ステップと、
ｂ）一次容器を洗浄する（１５）ステップと、
ｃ）トレー内に一次容器を収める（１６）ステップと、
ｄ）二次容器内で一次容器を滅菌する（１７）ステップと
を含む。
【誤訳訂正５】
【訂正対象書類名】明細書
【訂正対象項目名】００２０
【訂正方法】変更
【訂正の内容】
【００２０】
補完装置と組み立てられている空の一次容器は、好ましくは注射用水を使用して、洗浄されなければならない（７）。組立て済み装置は、次いで、二次容器内にそれらをパッキングすることにより無菌環境内に移される。二次容器は、輸送中にそれらが正確な位置に保持され且つ固定して保持されるように組立て済み装置（６）を収めることができる複数の座部を有するトレー（９）を備えることが好ましい。このことにより、装置（６）の正確な充填及び塞栓のためのｘ−ｙ平面における正確な配置が容易になる。
【誤訳訂正６】
【訂正対象書類名】明細書
【訂正対象項目名】００２１
【訂正方法】変更
【訂正の内容】
【００２１】
好ましくは剛性又は半剛性プラスチック材料で作製され、且つ収められた組立て済み装置（６）を含むトレー（９）は、次いで、二次容器の槽内に挿入されることが好ましい。この槽もまた、剛性又は半剛性プラスチックで作製されていることが好ましく、その内容物、特に組立て済み装置の検査を可能にする透明部分を有することが好ましい。二次パッキングのネスト・タブ設計（ｎｅｓｔ−ａｎｄ−ｔｕｂ  ｄｅｓｉｇｎ）は、組立て済み装置（６）を互いに分離しておくのに適しており、それにより擦り傷又は他の損傷を防止する。
【誤訳訂正７】
【訂正対象書類名】特許請求の範囲
【訂正対象項目名】全文
【訂正方法】変更
【訂正の内容】
【特許請求の範囲】
【請求項１】
医療用注射剤をパッキングするための製造プロセスであって、
事前充填可能な注射器の形態であるガラス一次容器を形成する（１）ステップと、
補完装置（４）をプラスチック射出成形（３）により形成するステップと、
前記空の一次容器を対応する補完装置と組み立てて（５）、組立て済み装置（６）を形成するステップであって、前記補完装置は、注射前に傷害を防止する剛性針シールド（２５）及び注射後に保護されていない針先端による傷害を防止する安全装置の形態である、ステップと、
前記組立て済み装置を注射用水で洗浄する（７）ステップと、
トレー（９）内に前記組立て済み装置を収める（８）ステップと、
前記組立て済み装置を収容する前記トレーを二次容器内に挿入し、前記二次容器を閉鎖するステップと、
前記閉鎖済み二次容器内で前記組立て済み装置を滅菌する（１０）ステップと、
前記閉鎖済み二次容器を遠隔現場への輸送に備えるステップとを時系列で含み、
前記組立て済み装置の前記一次容器を充填しプランジャの挿入により塞栓するステップと、
充填及び塞栓後、前記組立て済み装置（６）を視覚的及び／又は機能的に検査する更なるステップを含む、ことを特徴とする、製造プロセス。
【請求項２】
前記二次容器を閉鎖する前記ステップが、前記組立て済み装置を前記二次容器の内部に収容する前記トレーを封止するように、前記二次容器の槽の外縁部に可剥性の浸透性シートを付することを特徴とする、請求項１に記載の製造プロセス。
【請求項３】
前記トレーが、前記組立て済み装置の正確な充填及び塞栓のために、ｘ−ｙ平面における前記組立て済み装置の正確な固定及び配置のための複数の座部を有することを特徴とする、請求項１又は２に記載の製造プロセス。
【請求項４】
前記組立て済み装置が、前記組立て済み装置の前記検査を可能にする少なくとも１つの透明部分を有することを特徴とする、請求項１〜３のいずれか一項に記載の製造プロセス。
【請求項５】
前記検査が操作者による検査を含むことを特徴とする、請求項１〜４のいずれか一項に記載の製造プロセス。
【請求項６】
前記検査が、少なくとも１つのカメラ及び対応するソフトウェアによる自動検査を含むことを特徴とする、請求項１〜５のいずれか一項に記載の製造プロセス。
【請求項７】
最終パッキングする更なるステップを含むことを特徴とする、請求項１〜６のいずれか一項に記載の製造プロセス。
【誤訳訂正８】
【訂正対象書類名】図面
【訂正対象項目名】図１
【訂正方法】変更
【訂正の内容】
【図１】
2013534195.tif 000001
【誤訳訂正９】
【訂正対象書類名】図面
【訂正対象項目名】図２
【訂正方法】変更
【訂正の内容】
【図２】
2013534195.tif 000002
【手続補正書】
【提出日】平成26年6月3日(2014.6.3)
【手続補正１】
【補正対象書類名】特許請求の範囲
【補正対象項目名】全文
【補正方法】変更
【補正の内容】
【特許請求の範囲】
【請求項１】
ロック済み状態および未ロック状態を含む複数の認証状態を有するモバイルデバイスを動作させる方法であって、
前記モバイルデバイス上でアプリケーションを呼び出すステップであって、前記未ロック状態で利用可能な前記アプリケーションの１つまたは複数の機能が、前記モバイルデバイスが前記ロック済み状態である間、前記モバイルデバイスのユーザーにとって利用不可能である、ステップと、
前記利用不可能である機能のうちの１つを要求する入力データを受け取ることに基づいて、前記モバイルデバイスの状態を前記未ロック状態に変更するように操作可能なユーザーインターフェースを提示するステップと
を含む方法。
【請求項２】
前記ユーザーインターフェースを使用して、入力データを受け取るステップと、
前記入力データに基づいて、前記モバイルデバイスの状態を前記未ロック状態に変更するステップと、
前記モバイルデバイスの状態を変更するステップの後で、前記モバイルデバイス上に前記要求されたアプリケーションを提供するステップであって、以前は利用不可能であった機能のうちの少なくとも１つが、前記モバイルデバイスのユーザーにとって利用可能とされる、ステップと
をさらに含む、請求項１に記載の方法。
【請求項３】
前記アプリケーションが、前記ロック済み状態のときに利用可能な以下の機能、画像のキャプチャー、画像キャプチャーの設定メニューの提供、またはビデオキャプチャーモードと静止画像キャプチャーモードの切り換え、のうちの１つまたは複数を有する、請求項１に記載の方法。
【請求項４】
前記利用不可能な機能が、画像の削除、画像の送信、または画像のリモートサーバーへのアップロード、のうちの少なくとも１つまたは複数を含む、請求項１に記載の方法。
【請求項５】
画像をキャプチャーするステップと、
前記キャプチャーするステップの後で、前記モバイルデバイスの状態を判断するステップであって、
前記モバイルデバイスの状態が前記未ロック状態である場合、前記画像を前記モバイルデバイスから離れた場所に伝送し、
前記モバイルデバイスの状態が前記ロック済み状態である場合、前記画像を前記モバイルデバイスから離れた場所に伝送しない、ステップと
をさらに含む、請求項１に記載の方法。
【請求項６】
画像キャプチャーボタンが所定の期間押し下げられた結果として、前記入力データが受け取られる、請求項１に記載の方法。
【請求項７】
画像キャプチャーボタンの押下が検出されたこと、および前記画像キャプチャーボタンの押下が検出された後で第２の入力データが受け取られたことの両方の結果として、前記入力データが受け取られる、請求項１に記載の方法。
【請求項８】
画像キャプチャーボタンが、前記モバイルデバイスに結合された別のボタンと同時に押された結果として、前記入力データが受け取られる、請求項１に記載の方法。
【請求項９】
前記方法が、前記モバイルデバイスに結合された近接センサーまたは光センサーを評価するステップをさらに含み、前記評価するステップが、前記モバイルデバイスと近接する物体を判断しない限り、前記アプリケーションを提供する前記ステップが行われる、請求項１に記載の方法。
【請求項１０】
コンピューターによって実行されると、前記コンピューターに、ロック済み状態および未ロック状態を含む複数の認証状態を有するモバイルデバイスを動作させる方法を実行させるコンピューター読み取り可能な命令を格納する、１つまたは複数のコンピューター読み取り可能な記憶媒体であって、前記方法は、
前記モバイルデバイスが前記ロック済み状態にある場合、ロック解除ユーザーインターフェースを提示するステップと、
前記ロック解除ユーザーインターフェースによって、前記モバイルデバイスのユーザーを認証する入力を受け取るステップと、
前記認証する入力を受け取ることに基づいて、前記未ロック状態に入るステップであって、
前記ロック解除ユーザーインターフェースにロック画面状態から入った場合、前記モバイルデバイス上で呼び出すアプリケーションを選択するインターフェースを提供するステップ、および
アプリケーションの無効にされた機能を要求する入力が受け取られたために前記ロック解除ユーザーインターフェースに入った場合、以前に無効にされた機能へのアクセスを可能にするアプリケーションを提供するステップ
を含む、ステップと
を含む、１つまたは複数のコンピューター読み取り可能な記憶媒体。
【請求項１１】
装置であって、
画像キャプチャーデバイスと、
前記画像キャプチャーデバイスに結合され、前記画像キャプチャーデバイスによる画像キャプチャーを開始するように操作可能な画像キャプチャーボタンを含む、１つまたは複数の入力ソースと、
１つまたは複数のプロセッサーと、
前記プロセッサーによって実行されると、方法を前記装置に実行させる、画像キャプチャーアプリケーションのためのコンピューター読み取り可能な命令を格納する、１つまたは複数のコンピューター読み取り可能な記憶媒体であって、前記命令が、
前記入力ソースから入力データを受け取るための命令と、
前記入力データが前記画像キャプチャーボタンの作動を示すことに応答して、前記装置をスリープモードまたはスタンバイモードから起こすための命令と、
認証を使用して、前記装置をロックおよびロック解除するための命令と、
前記画像キャプチャーデバイスを使用して画像をキャプチャーし、前記画像を処理するための複数の機能を提示するための命令であって、
前記装置のロックが解除される場合、前記画像キャプチャーアプリケーションによって、前記機能の各々へのアクセスが可能になり、
前記装置がロックされる場合、前記画像キャプチャーアプリケーションによって、前記機能のうちの１つまたは複数へのアクセスは可能になるが、前記機能のすべてへのアクセスが可能になるわけではない、命令と
を含み、前記画像キャプチャーアプリケーションは、前記装置がロックされているときにアクセス不可能な機能が要求される場合に、前記装置をロック解除するための命令を実行する、１つまたは複数のコンピューター読み取り可能な記憶媒体と
を備える装置。
【請求項１２】
近接センサーをさらに備え、前記コンピューター読み取り可能な媒体が、
前記近接センサーのステータスを評価するための近接性チェック命令であって、
入力モジュールが入力データを受け取った後の前記近接センサーの前記ステータスをチェックするための命令と、
前記評価されたステータスが、物体が前記装置と近接することを示す場合、画像キャプチャーモジュールの呼び出しを防止するための命令と、
前記チェックされたステータスが、物体が前記装置と近接していないことを示す場合、前記画像キャプチャーモジュールの呼び出しを可能にするための命令と
を含む近接性チェック命令を含む命令をさらに格納する、請求項１１に記載の装置。
【請求項１３】
前記装置に結合されたタッチスクリーンをさらに備え、前記近接センサーが前記タッチスクリーンである、請求項１１に記載の装置。
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
ａ）  可撓性の難燃性材料のシートと、
ｂ）  シートの１つの面上に配置された、
ｉ．  融点が２０℃より低い植物油又は動物油、
ｉｉ．  融点が２０℃より高い植物脂又は動物脂、及び
ｉｉｉ．  １種又は複数のハーブ、スパイス及び香味増強剤
の混合物を含む組成物と、を含み、
前記組成物が、１〜３４重量％の量の油、及び６６〜９９重量％の量の脂を含む、クッキングエイド。
【請求項２】
シートがクッキングシートである、請求項１に記載のクッキングエイド。
【請求項３】
油が、ヒマワリ油、菜種油、綿実油、ピーナッツ油、大豆油、オリーブ油、パーム油、ココナツ油及びパーム核油からなる群から選択される、請求項１又は請求項２に記載のクッキングエイド。
【請求項４】
脂が、豚脂、獣脂、ラード、骨脂、バター、パーム分別脂、及び、完全に若しくは部分的に水素添加した若しくはエステル交換した、パーム油、綿実油、ピーナッツ油、大豆油、オリーブ油、ヒマワリ油又は菜種油からなる群から選択される、請求項１〜３のいずれか一項に記載のクッキングエイド。
【請求項５】
組成物が、０．０１〜１重量％のモノグリセリド、ステロール又はレシチンをさらに含む、請求項１〜４のいずれか一項に記載のクッキングエイド。
【請求項６】
油及び脂が、合わせて、組成物の５〜２０重量％を占める、請求項１〜５のいずれか一項に記載のクッキングエイド。
【請求項７】
１種又は複数のハーブ、スパイス及び香味増強剤が、組成物の０．５〜７５重量％を占める、請求項１〜６のいずれか一項に記載のクッキングエイド。
【請求項８】
１種又は複数のハーブ及びスパイスが、パセリ、ローズマリー、ペッパー及びチャイブからなる群から選択される、請求項１〜７のいずれか一項に記載のクッキングエイド。
【請求項９】
香味増強剤が、組成物の１０〜８０重量％を占める、請求項１〜８のいずれか一項に記載のクッキングエイド。
【請求項１０】
１種又は複数の香味増強剤が、無機塩、アミノ酸の塩、タンパク質加水分解物、香味調製物及び酵母抽出物からなる群から選択される、請求項１〜９のいずれか一項に記載のクッキングエイド。
【請求項１１】
ａ）  可撓性の難燃性材料のシートを平面上に展開するステップと、
ｂ）  シート上に脂及び油のブレンドを延ばすステップと、
ｃ）  脂及び油のブレンド上に１種又は複数のハーブ、スパイス及び香味増強剤を分布させるステップと
を含む、請求項１〜１０のいずれか一項に記載のクッキングエイドの調製方法。
【請求項１２】
１種又は複数のハーブ、スパイス及び香味増強剤を、油でコーティングするステップをさらに含む、請求項１１に記載の方法。
【請求項１３】
食肉片を、組成物と直接接触してクッキングエイドに載せ、調理する、食肉を調理するための、請求項１〜１０のいずれか一項に記載のクッキングエイドの使用。
【請求項１４】
野菜片を、組成物と直接接触してクッキングエイドに載せ、調理する、野菜を調理するための、請求項１〜１０のいずれか一項に記載のクッキングエイドの使用。
【手続補正書】
【提出日】平成26年2月26日(2014.2.26)
【手続補正１】
【補正対象書類名】特許請求の範囲
【補正対象項目名】全文
【補正方法】変更
【補正の内容】
【特許請求の範囲】
【請求項１】
送信データを、差動符号器を用いて符号化する方法であって：
差動符号器で送信データを受信し、そして
前記送信データを、符号集合を用いて符号化し、前記符号集合を前記差動符号器が処理すると、前記符号集合によって、前記差動符号器が既知の状態に設定され、そして無相関出力系列が生成される、方法。
【請求項２】
前記差動符号器は、前記送信データを受信すると、初期論理状態に保持され、そして
前記データを符号化するために前記差動符号器が用いる前記符号集合によって、前記差動符号器が前記初期論理状態にリセットされる、請求項１に記載の方法。
【請求項３】
前記差動符号器は、前記送信データを受信すると、初期論理状態を保持し、そして
前記データを符号化するために前記差動符号器が用いる前記符号集合によって前記差動符号器が、前記初期論理状態とは異なる既知の論理状態にリセットされる、請求項１に記載の方法。
【請求項４】
更に：
前記符号化信号を変調し、
前記符号化信号を増幅し、そして
前記符号化信号を送信する、
請求項１に記載の方法。
【請求項５】
更に：
前記符号化信号を受信し、そして
前記符号化信号を復号する、
請求項４に記載の方法。
【請求項６】
更に、前記符号化信号を測位アルゴリズムに用い、前記符号化信号は、全地球測位システム（ＧＰＳ）信号、グレイ（Ｇｒａｙ）コード信号、または衛星信号のうちの少なくとも１つの信号を含む、請求項５に記載の方法。
【請求項７】
前記送信データを符号化する際に、スーパービットエンコーディング方式を用い、前記スーパービットエンコーディング方式では、送信される各情報ビットをＮ擬似ランダムビット列で表わす、請求項１に記載の方法。
【請求項８】
前記スーパービットエンコーディング方式を利用して、信号対雑音比を大きくして、屋内に居るユーザが正確なタイミング情報を取得することができるようにする、請求項７に記載の方法。
【請求項９】
前記スーパービットエンコーディング方式では、複数のビット列を前記Ｎ擬似ランダムビット列に付加し、前記複数のビット列によって、前記差動符号器が所定の論理状態にリセットされる、請求項７に記載の方法。
【請求項１０】
差動符号器を備える通信装置であって、前記差動符号器は：
送信データを受信し、そして
前記送信データを、符号集合を用いて符号化し、前記符号集合を前記差動符号器で処理すると、前記符号集合によって、前記差動符号器が既知の状態に設定され、そして無相関出力系列が生成される、通信装置。
【手続補正２】
【補正対象書類名】明細書
【補正対象項目名】００４２
【補正方法】変更
【補正の内容】
【００４２】
種々の実施形態を、構造的特徴及び／又は方法論的作用に特有の文言で説明してきたが、請求する主題は、記載される特定の特徴または作用に限定されてはならないことを理解されたい。限定されるのではなく、特定の特徴及び作用は、請求する主題を実施する例示的な形態として開示される。
また、本願は以下に記載する態様を含む。
（態様１）
送信データを、差動符号器を用いて符号化する方法であって：
差動符号器で送信データを受信し、そして
前記送信データを、符号集合を用いて符号化し、前記符号集合を前記差動符号器が処理すると、前記符号集合によって、前記差動符号器が既知の状態に設定され、そして無相関出力系列が生成される、方法。
（態様２）
前記差動符号器は、前記送信データを受信すると、初期論理状態に保持され、そして
前記データを符号化するために前記差動符号器が用いる前記符号集合によって、前記差動符号器が前記初期論理状態にリセットされる、態様１に記載の方法。
（態様３）
前記差動符号器は、前記送信データを受信すると、初期論理状態を保持し、そして
前記データを符号化するために前記差動符号器が用いる前記符号集合によって前記差動符号器が、前記初期論理状態とは異なる既知の論理状態にリセットされる、態様１に記載の方法。
（態様４）
更に：
前記符号化信号を変調し、
前記符号化信号を増幅し、そして
前記符号化信号を送信する、
態様１に記載の方法。
（態様５）
更に：
前記符号化信号を受信し、そして
前記符号化信号を復号する、
態様４に記載の方法。
（態様６）
更に、前記符号化信号を測位アルゴリズムに用いる、態様５に記載の方法。
（態様７）
前記符号化信号は、全地球測位システム（ＧＰＳ）信号、グレイ（Ｇｒａｙ）コード信号、または衛星信号のうちの少なくとも１つの信号を含む、態様６に記載の方法。
（態様８）
前記送信データを符号化する際に、スーパービットエンコーディング方式を用い、前記スーパービットエンコーディング方式では、送信される各情報ビットをＮ擬似ランダムビット列で表わす、態様６に記載の方法。
（態様９）
前記スーパービットエンコーディング方式を利用して、信号対雑音比を大きくして、屋内に居るユーザが正確なタイミング情報を取得することができるようにする、態様８に記載の方法。
（態様１０）
前記スーパービットエンコーディング方式では、複数のビット列を前記Ｎ擬似ランダムビット列に付加し、前記複数のビット列によって、前記差動符号器が所定の論理状態にリセットされる、態様８に記載の方法。
（態様１１）
前記差動符号器は、測位システムとして利用される通信システム内に配置される、態様１に記載の方法。
（態様１２）
前記符号化信号を受信する際に、減衰環境に居るユーザが、信号を受信して正確な信号取得タイミング情報を取得することができるようにする、態様５に記載の方法。
（態様１３）
差動符号器を備える通信装置であって、前記差動符号器は：
送信データを受信し、そして
前記送信データを、符号集合を用いて符号化し、前記符号集合を前記差動符号器で処理すると、前記符号集合によって、前記差動符号器が既知の状態に設定され、そして無相関出力系列が生成される、通信装置。
（態様１４）
前記差動符号器は、前記送信データを受信すると、初期論理状態を保持し、そして
前記データを符号化するために前記差動符号器が用いる前記符号集合によって、前記差動符号器が前記初期論理状態にリセットされる、態様１３に記載の通信装置。
（態様１５）
前記差動符号器は、前記送信データを受信すると、初期論理状態を保持し、そして
前記データを符号化するために前記差動符号器が用いる前記符号集合によって、前記差動符号器が前記初期論理状態とは異なる既知の論理状態にリセットされる、態様１３に記載の通信装置。
（態様１６）
前記差動符号器は、スーパービットエンコーディング方式を実現し、前記スーパービットエンコーディング方式では、送信される各情報ビットをＮ擬似ランダムビット列で表わす、態様１３に記載の通信装置。
（態様１７）
前記スーパービットエンコーディング方式では、複数のビット列を前記Ｎ擬似ランダムビット列に付加し、前記複数のビット列によって、前記差動符号器が所定の論理状態にリセットされる、態様１６に記載の通信装置。
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
電池である装置であって、
第１５族のカルコゲニドから形成された活物質を含むアノード、
カソード、及び
前記アノードと前記カソードの間に配置された電解質
を含み、前記電解質がマグネシウム化合物を含み、
前記電池が充電式マグネシウムイオン電池であり、マグネシウムイオンが充電及び放電サイクルの間、前記アノード及びカソードの間を移動する、装置。
【請求項２】
前記第１５族のカルコゲニドが、リン、ヒ素、アンチモン及びビスマスからなる群より選択される１つ又は複数の元素を含み、酸素、硫黄、セレン及びテルルからなる群より選択される１つ又は複数の元素をさらに含む化合物である、請求項１に記載の装置。
【請求項３】
前記活物質がビスマスカルコゲニドを含む、請求項１に記載の装置。
【請求項４】
前記ビスマスカルコゲニドが酸化ビスマスである、請求項３に記載の装置。
【請求項５】
前記充電式マグネシウムイオン電池が少なくとも３００ミリアンペア時／グラムのエネルギー密度を有する、請求項１に記載の装置。
【請求項６】
電池である装置であって、
第１の活物質を含む正極、
第２の活物質を含む負極、及び
前記正極と前記負極の間に配置された電解質
を含み、前記電解質がマグネシウム塩を含み、
前記第２の活物質が第１５族のカルコゲニドを含み、
前記電池がマグネシウムイオン電池であり、マグネシウムイオンが充電及び放電サイクルの間、アノード及びカソードの間を移動する、装置。
【請求項７】
前記負極が、バインダー、電気伝導性材料、及び第１５族のカルコゲニドの粒子を含む、請求項６に記載の装置。
【請求項８】
前記第１５族のカルコゲニドがビスマスカルコゲニドである、請求項６に記載の装置。
【請求項９】
前記ビスマスカルコゲニドが酸化ビスマスである、請求項８に記載の装置。
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
損失変調半導体レーザーデバイスであって、
第１の基板上に設けられたセミコンダクター・オン・インシュレーター（ＳＯＩ）構造であって、前記ＳＯＩ構造の半導体層に導波路を含む、ＳＯＩ構造；
前記ＳＯＩ構造の前記半導体層に接合された半導体構造であって、前記半導体構造と前記導波路とが併せてレーザーキャビティの少なくとも一部を画定する、半導体構造；並びに
前記レーザーキャビティ内の損失を制御するように動作可能である変調器であって、前記変調器の全体が前記レーザーキャビティ内に配置され、前記変調器が前記損失変調半導体レーザーデバイスの群速度、キャビティの長さ及び分布損失の少なくとも１つを制御することにより、前記損失変調半導体レーザーデバイス内の光子の寿命を制御するようにさらに動作可能であり、前記変調器が前記導波路に近接するｎ型ドープされた領域及びｐ型ドープされた領域を含み、前記ｎ型ドープされた領域が前記導波路の第１の側にあり、前記ｐ型ドープされた領域が前記導波路の第２の側にある、変調器、を含む、
損失変調半導体レーザーデバイス。
【請求項２】
前記ｎ型ドープされた領域及び前記ｐ型ドープされた領域の少なくとも１つが前記半導体層内に配置された、請求項１に記載の損失変調半導体レーザーデバイス。
【請求項３】
前記半導体層がシリコンを含む、請求項１に記載の損失変調半導体レーザーデバイス。
【請求項４】
前記損失変調半導体レーザーデバイスの光学モードが、前記半導体層及び前記半導体構造の少なくとも一部の内部に存在する、請求項１に記載の損失変調半導体レーザーデバイス。
【請求項５】
前記変調器が前記導波路の第１の部分をさらに含み、前記ｎ型ドープされた領域及び前記ｐ型ドープされた領域が、前記第１の部分内のキャリア密度を制御するように動作可能である、請求項１に記載の損失変調半導体レーザーデバイス。
【請求項６】
前記変調器が前記レーザーキャビティ内の分布損失を制御するように動作可能である、請求項１に記載の損失変調半導体レーザーデバイス。
【請求項７】
前記半導体構造がＩＩＩ族−Ｖ族（ＩＩＩ−Ｖ）半導体層を含む、請求項１に記載の損失変調半導体レーザーデバイス。
【請求項８】
前記半導体構造が量子井戸層をさらに含む、請求項７に記載の損失変調半導体レーザーデバイス。
【請求項９】
前記半導体層がシリコンを含み、前記半導体構造が量子井戸層及び、前記半導体層に接合されたＩＩＩ−Ｖ半導体層を含み、さらに、前記半導体層内の導波路が前記半導体構造とエバネセント的に結合された、請求項１に記載の損失変調半導体レーザーデバイス。
【請求項１０】
前記半導体層がシリコンを含み、前記半導体構造が量子井戸層及び、前記半導体層に接合されたＩＩ族−ＶＩ族（ＩＩ−ＶＩ）半導体層を含み、さらに、前記半導体層内の前記導波路が前記半導体構造とエバネセント的に結合された、請求項１に記載の損失変調半導体レーザーデバイス。
【請求項１１】
前記半導体構造がＩＩＩ族−Ｖ族（ＩＩＩ−Ｖ）半導体層を含む、請求項１に記載の損失変調半導体レーザーデバイス。
【請求項１２】
半導体構造とＳＯＩ構造の半導体層とを接合する段階であって、前記半導体構造が増幅領域を含み、前記半導体層が第１の導波路を含み、前記接合された半導体構造及び前記半導体層が共にレーザーキャビティを有するハイブリッドレーザー構造の少なくとも一部を画定する段階；
第１のミラー構造及び第２のミラー構造を形成し、前記第１のミラー構造及び前記第２の構造のそれぞれが、前記レーザーキャビティと光学的に接続される段階；並びに
前記導波路に近接したｎ型ドープされた領域及びｐ型ドープされた領域を形成し、前記ｎ型ドープされた領域が前記導波路の第１の側にあり、前記ｐ型ドープされた領域が前記導波路の第２の側にあり、前記ｎ型ドープされた領域、前記ｐ型ドープされた領域と前記導波路とが併せて前記レーザーキャビティ内に全体的に配置された変調器を画定し、前記レーザーキャビティ内の損失を制御するように動作可能である、ｎ型ドープされた領域及びｐ型ドープされた領域を形成する段階を含む、損失変調半導体レーザーデバイスを製造する方法。
【請求項１３】
前記変調器が、前記損失変調半導体レーザーデバイス内の群速度、キャビティの長さ及び分布損失のうち少なくとも１つを制御することによって、前記損失変調半導体レーザーデバイス内の光子の寿命を制御するように動作可能であるように形成される、請求項１２に記載の方法。
【請求項１４】
前記半導体構造を、ＩＩＩ族−Ｖ族（ＩＩＩ−Ｖ）半導体層を含むように提供する段階、及び
前記ＳＯＩ構造の前記半導体層を、シリコンを含むように提供する段階をさらに含む、請求項１２に記載の方法。
【請求項１５】
前記半導体構造を、ＩＩ族−ＶＩ族（ＩＩ−ＶＩ）半導体層を含むように提供する段階、及び
前記ＳＯＩ構造の前記半導体層を、シリコンを含むように提供する段階をさらに含む、請求項１２に記載の方法。